(57)【特許請求の範囲】
【請求項１】
ベアリング担持体により担持されたベアリングによって回転可能に支持される軸を備え、前記ベアリング担持体は、ポンプハウジングに対して固定される概ね半径方向外側部分と、ベアリングに対して固定される概ね半径方向内側部分とを有し、前記ベアリングの半径方向の移動を抑制し、旋回スクロールと固定スクロールとの間の半径方向の整列を維持するために、該半径方向内側部分と半径方向外側部分との間において、半径方向に対して堅固であり、軸方向には柔軟とされ、前記ベアリングの軸方向の移動を許容するようにしたことを特徴とするスクロールポンプ。
【請求項２】
前記ベアリング担持体が、前記ベアリングに第１軸方向の軸方向力を付加し、ベアリングの第２軸方向の軸移動に抵抗するように、初期荷重を付与されたことを特徴とする請求項１に記載されたスクロールポンプ。
【請求項３】
前記ベアリング担持体が、前記軸方向の初期荷重を付与するために、内向き方向に付勢されている請求項２に記載されたポンプ。
【請求項４】
前記軸方向の初期荷重を付与するために、ハウジングと前記ベアリング担持体の内側部分の１つ又はベアリングとの間に置かれたバネを有することを特徴とする請求項２に記載されたスクロールポンプ。
【請求項５】
前記ベアリング担持体が、半径方向内側部分と半径方向外側部分との間において、半径方向に堅固であり、軸方向には柔軟である中間部を有する請求項１から請求項４までのいずれか１項に記載されたスクロールポンプ。
【請求項６】
前記中間部が、該ベアリング担持体を貫通する複数の穴によって間隔をもって位置させられた、概ね半径方向に延びる複数の支持部を有するものである請求項５に記載されたスクロールポンプ。
【発明の詳細な説明】
【技術分野】
【０００１】
本発明はポンプに関し、特に、限定する意味ではないが、スクロールポンプと、それに用いられるベアリング担持体に関する。本発明は、例えば電気モータのような、他の用途も見出すことができる。
【背景技術】
【０００２】
スクロールポンプは、固定スクロール及び旋回スクロールを有する。旋回スクロールは、駆動軸の偏心軸部によって駆動され、固定スクロールに対して旋回する。駆動軸はモータによって駆動される。該駆動軸が回転すると、固定スクロールに相対している旋回スクロールに旋回運動が与えられ、スクロール機構の入口から出口に流体をポンプ圧送する。
【０００３】
先行技術によるスクロールポンプの一例が、図６に詳細に示される。分かり易く示すために固定スクロールは省略されている。該ポンプは、同心軸部１０４と偏心軸部１０６とを有する駆動軸１０２を備える。該駆動軸は、ポンプハウジング１１２に固定された第１部分１１０と、同心軸部に固定された第２部分１１４とを備えたモータ１０８により駆動される。
【０００４】
この同心軸部１０４は、第１ベアリング１１６と第２ベアリング１１８とによって支持される。第２ベアリング１１８が、偏心軸部に対して旋回スクロール１２０を支持し、相対的な角度方向運動を可能にし、該軸が回転することによって、旋回スクロールの偏心旋回動作が行われる。
【０００５】
第１ベアリング１１６は、軸１０２に固定される内輪１２２と、ベアリング担持体１２６に接して配置される外輪１２４とを有する。該ベアリング担持体は、ハウジングの一部を構成するものでもよく、又はハウジングに対して取り付けられるものでもよい。多数のボール１２８が、ベアリング担持体に対する軸の回転を可能にする。
【０００６】
締結部材１３０が、同心軸部の半径方向に延びる肩部に対して所定位置に内輪１２２を締結しており、該内輪は、半径方向と軸方向の両方で駆動軸に対して固定される。外輪は、ベアリング担持体１２６に対して軸方向にスライドすることができ、例えば熱により、軸が軸方向に膨張及び縮小できるようにする。また、このスライド移動は、部品の公差に起因する軸方向部品の寸法変動に対しても該機構が順応できるようにする。バネ部材１３２が、ベアリング担持体の半径方向内向き舌部１３４と外輪との間に配置され、外輪及び軸を軸方向（図６の右方向）に付勢する。この初期荷重システムによって発生する、線１３６で示す力が、該軸の軸方向移動する抵抗力となり、軸の前後移動量を減少させる。同様な、しかし補完的な力が、第２ベアリング１１８に発生する。ベアリング担持体１２６は固定部材であるので、半径方向の移動を防止する。スクロール構造が潤滑されない場合に特に該当することであるが、効率的なポンプ圧送を行うためには、旋回スクロール１２０と固定スクロールとの間の軸方向並びに半径方向の隙間が小さいことが要求されるので、軸の半径方向及び軸方向移動が制限されなければならない。
【０００７】
しかし、第１ベアリング１１６とベアリング担持体１２６に加わる軸方向及び半径方向の力が、典型的には摩耗による損傷の原因となり、ベアリングの定期的な交換が必要となり、維持経費を増加させることになる。
【発明の概要】
【発明が解決しようとする課題】
【０００８】
本発明は、ポンプ用の改善されたベアリング組立体を提供する。
【課題を解決するための手段】
【０００９】
本発明は、ベアリング担持体に担持されたベアリングによって回転可能に支持された軸を備え、該ベアリング担持体は、ポンプハウジングに対して固定された全体として半径方向外側部分と、ベアリングに対して固定された全体として半径方向内側部分とを有し、該ベアリング担持体は、該半径方向内側部分と半径方向外側部分との間において、半径方向には堅固で、軸方向には柔軟とされ、該ベアリングの半径方向の動きが抑制され、軸方向の動きが可能とされたポンプを提供する。
本発明が充分に理解できるように、例示の目的のみで提供される幾つかの実施形態が以下の図面を参照して説明される。図は、以下の通りである。
【図面の簡単な説明】
【００１０】
【図１】スクロールポンプの概念図である。
【図２】図１のスクロールポンプのより詳細部分を示す。
【図３】図１のスクロールポンプのベアリング担持体を示す。
【図４】代替例のベアリング担持体を示す。
【図５】別のスクロールポンプの一部を示す。
【図６】先行技術によるスクロールポンプの一例を示す。
【発明を実施するための形態】
【００１１】
スクロールコンプレッサーすなわちスクロールポンプ１０が、図１に示される。ポンプ１０は、ポンプハウジング１２と、同心軸部１５及び偏心軸部１６を有する駆動軸１４を備える。この駆動軸１４は、モータ１８により駆動され、その偏心軸部が旋回スクロール２０に連結されており、使用時にモータ軸の回転により、固定スクロール２２に対して旋回スクロール２０を旋回移動させ、該コンプレッサーのポンプ入口２４と出口２６との間の流体流路に沿って流体をポンプ圧送する。
【００１２】
固定スクロール２２は、概ね円形の基板３０に対して直角に延び、軸方向の端面すなわち端表面２９を有するスクロール壁２８を備える。旋回スクロール２０は、概ね円形の基板３６に対して直角に延び、軸方向の端面すなわち端表面３５を有するスクロール壁３４を備える。旋回スクロールの旋回運動中において、旋回スクロール壁３４は、固定スクロール壁２８と協働、すなわち噛み合い動作を行う。これらスクロールの相対的な旋回運動により、ある量の気体がこれらスクロール間に捕捉され、入口２４から出口２６までポンプ圧送が行われる。
【００１３】
スクロールポンプは、乾式ポンプで、潤滑がされないものとすることができる。特に潤滑がされない場合には、逆漏れを防止するために、これらスクロール間の軸方向と半径方向との隙間が正確に維持されなければならない。一方のスクロールにおけるスクロール壁の軸方向端部２９，３５と他方のスクロールの基板３０、３６との間の隙間は、シール構造により密封され、このシール構造は、一般にチップシールを備える。
【００１４】
ポンプは、使用中に温度が上昇するが、ポンプ内の全ての部品が同じ割合で温度上昇する訳ではなく、また熱膨張係数の違いのために、温度変化に対してはモータ軸１４がポンプハウジング１２より大きく反応する。したがって、同心軸部の第１及び第２ベアリング３８、４０が、旋回スクロールと固定スクロールとの間の軸方向及び半径方向間隙に影響を与えることなく、軸の膨張及び收縮に順応しなければならない。さらに、第１及び第２ベアリング３８、４０は、製造公差内において製造された許容長さ範囲内にある、長さの異なる軸にも順応できることが好ましい。
【００１５】
ベアリング構造は、図２及び図３を参照して、さらに詳細に説明される。固定スクロール２２は、分かり易くするために図２では省略されている。
【００１６】
図２に示すように、該駆動軸１４は、同心軸部１５と偏心軸部１３とを有する。該軸は、ポンプハウジング１２に固定される第１部分１７と、同心軸部１５に固定される第２部分１９とを有するモータ１６により駆動される。第２部分１９は、第１部分１７に対して軸方向にある程度自由に動くことができる。
【００１７】
同心軸部１５は、第１ベアリング３８と第２ベアリング４０とにより回転可能に支持されている。第３ベアリング４２は、旋回スクロール２０を偏心軸部に対して相対的な角度方向運動ができるように支持しており、該軸の回転によって旋回動作が旋回スクロールに伝えられる。
【００１８】
第１ベアリング３８は、軸１４に対して固定される内輪４４と、ベアリング担持体４８に固定される外輪４６とを有する。多数のボール５０によって、ベアリング担持体４８に対して軸１４が回転できるようにする。該ベアリング担持体４８は、ハウジング１２に対して固定される半径方向外側部分５２と、第１ベアリング３８の外輪４６に固定される半径方向内側部分５４とを有する。この実施形態における半径方向内側部分は、外輪４６を固定するための半径方向に延びた舌部５８を有する環状座５６を備え、半径方向内側部分５４により、外輪が担持される。内輪４４は、締結部材６０と軸の肩部との間で該軸に固定される。
【００１９】
図３にもっと詳細に示されるベアリング担持体４８は、ベアリング３８の半径方向移動を抑制するが、軸方向には動くことができるように構成される。この実施形態におけるベアリング担持体は、該担持体を貫通する複数の穴６４の間に形成された、ほぼ柔軟な３つの支持部６２を含む中間部を備えており、軸部１５の軸Ａに沿って該担持体が柔軟であるようにする。しかし、該支持部は半径方向に対しては堅固にされ、これが無ければ、旋回スクロールと固定スクロールが誤整列を起こしうる該軸の半径方向の動きを抑制する。該担持体の内側部分５４は、ベアリング３８の外輪４６（図３では図示されない）に固定されているので、図５に示した先行技術の構造のように、ベアリングが該担持体に対してスライドする必要がなく、ベアリング３８が損傷を受けにくくなり、ベアリングの交換間隔をより長くすることができる。
【００２０】
代替例であるベアリング担持体７８が図４に示される。この構成では、中間部が柔軟な複数の支持部分８０を備えたスポーク構造を形成し、該支持部分８０の各々は、該担持体を貫通する、複数の隣接した穴８２の間に形成され、該担持体が軸部１５の軸Ａに沿って柔軟であるようにする。しかし、これら支持部分は半径方向には堅固であり、これが無ければ、旋回スクロールと固定スクロールの誤整列を起こしうる該軸の半径方向移動が抑制される。多数の支持部（１６個示される）を設けることにより、ベアリング担持体に加わる半径方向の力が周方向周りに分散させられる。
【００２１】
図２の構造では、ベアリング担持体が、ベアリング３８に対して線６６で示す方向に作用するように内向きに付勢されており、これがベアリング３８の軸方向Ａ１への軸移動に対する抵抗になる。このようにして、軸は熱膨張することができるが、第２ベアリング４０は、線６８で示す方向の力が維持され、旋回スクロールと固定スクロールとの間の軸方向隙間がほぼ一定に維持される。ベアリング担持体４８は、例えばアルミニウム又は鋼から製造することができるが、上記の材料初期荷重に限定されるものではなく、所定の場所に取り付けられた時にベアリング３８に必要な力が付与されるように初期荷重が与えられる。
【００２２】
図５に示される別の構造では、該スクロール間の軸方向隙間をほぼ一定に維持するために、ベアリング担持体７０が外向きに付勢される。この点に関しては、ベアリング担持体７０に初期荷重を与えるために、ベアリング担持体７０の内側部分７４と固定されたハウジング部分７６との間に付勢手段が設けられており、この付勢手段は、図示されたベルビル（Ｂｅｌｌｅｖｉｌｌｅ）バネ７２その他の適当なバネとすることができる。このベアリング担持体の軸方向の剛さは、該付勢手段より大幅に弱く、僅かの初期荷重しか与えないか又は初期荷重を与えないものである。
【００２３】
本明細書で述べたベアリング担持体の形態は、真空ポンプの構成と同様な、軸方向及び半径方向の動きに対する要求があるベアリング構成によって回転可能に支持される軸を備える他の装置にも用途を見出すことができるであろうことを理解されるであろう。
【符号の説明】
【００２４】
１０  ポンプ
１２  ポンプハウジング
１４  駆動軸
１５  同心軸部
１６  偏心軸部
１８  モータ
２０  旋回スクロール
２２  固定スクロール
２４  ポンプ入口
２６  ポンプ出口
３０  固定スクロールの基板
３６  旋回スクロールの基板
３８  第１ベアリング
４０  第２ベアリング
４４  ベアリングの内輪
４６  ベアリングの外輪
４８  ベアリング担持体
５２  ベアリング担持体の半径方向外側部分
５４  ベアリング担持体の半径方向内側部分
５６  環状座
６０  締結部材
６２  ベアリング担持体の中間部の柔軟支持部
６４  貫通穴
【図１】
0005934705.tif 000002
【図２】
0005934705.tif 000003
【図３】
0005934705.tif 000004
【図４】
0005934705.tif 000005
【図５】
0005934705.tif 000006
【図６】
0005934705.tif 000007